(57)【要約】  ファン装置から発生するＸ、Ｙ、Ｚの全並進方向の振動及び全軸回転方向の振動が、当該ファン装置を搭載する筐体に伝達されることを十分に抑制することが可能なファン装置の取付構造を提供する。ファン装置１と、ファン装置１が搭載される筐体４と、一端がファン装置１に取付けられると共に、ファン装置１の外側に延出して湾曲し、他端が筐体４のファン装置配置領域よりも外側に取付けられる少なくとも一対の板バネ２を備え、ファン装置１は、互いに対向する両面が前記各々の板バネにそれぞれ支持されると共に、筐体４と離間して取付けられる。
2012172614.tif 000002
【特許請求の範囲】
【請求項１】
ファン装置と、
前記ファン装置が搭載される筐体と、
一端が前記ファン装置に取付けられると共に、当該ファン装置の外側に延出して湾曲し、他端が前記筐体の当該ファン装置配置領域よりも外側に取付けられる少なくとも一対の板バネと、
を備え、
前記ファン装置は、互いに対向する両面が前記各々の板バネにそれぞれ支持されると共に、前記筐体と離間して取付けられてなるファン装置の取付構造。
【請求項２】
前記板バネは、複数の変曲点を有する請求項１記載のファン装置の取付構造。
【請求項３】
前記板バネは、
前記ファン装置に取付けられる第１の取付部と、
前記筐体に取付けられる第２の取付部と、
前記第１の取付部から延出し、当該第１の取付部と前記第２の取付部との間に介在すると共に、複数の変曲点を有する湾曲部と、
を備えた請求項１記載のファン装置の取付構造。
【請求項４】
前記湾曲部は、
前記第１の取付部から延出する第１の湾曲部と、
前記第１の湾曲部と前記第２の取付部との間に介在する第２の湾曲部と、
を備えた請求項３記載のファン装置の取付構造。
【請求項５】
前記第１の湾曲部を２つ備え、当該両第１の湾曲部は、前記第１の取付部より幅が狭い帯状の湾曲部からなり、
一方の第１の湾曲部は、前記第１の取付部の幅方向の一端部から延出し、
他方の第１の湾曲部は、前記第１の取付部の幅方向の他端部から延出し、
前記第２の湾曲部は、前記第２の取付部と同じ幅を有し、前記一方の第１の湾曲部の延出端は、当該第２の湾曲部の幅方向の一端部に位置し、前記他方の第１の湾曲部の延出端は、当該第２の湾曲部の幅方向の他端部に位置する請求項４記載のファン装置の取付構造。
【請求項６】
前記第１の湾曲部は、前記第１の取付部より幅が狭い帯状の湾曲部からなり、
前記第２の湾曲部は、当該第１の湾曲部と同じ幅であり、且つ前記第２の取付部より幅が狭い請求項４記載のファン装置の取付構造。
【請求項７】
前記第１の湾曲部は、前記第１の取付部より幅が狭い帯状の湾曲部からなり、
前記第２の湾曲部は、当該第１の湾曲部より幅が広く、且つ前記第２の取付部より幅が狭い請求項４記載のファン装置の取付構造。
【請求項８】
前記湾曲部は蛇腹形状を有する請求項３記載のファン装置の取付構造。
【請求項９】
前記第１の取付部の幅、前記第１の湾曲部の幅、前記第２の湾曲部の幅、前記第２の取付部の幅が、同一である請求項４記載のファン装置の取付構造。
【請求項１０】
前記第１の取付部を前記ファン装置に螺子止めするための螺子穴を当該第１の取付部に形成し、当該第１の取付部の螺子挿入方向両面に、前記螺子穴に挿入された螺子が貫通すると共に、前記板バネとは異なる材質の弾性部材を配設した請求項３記載のファン装置の取付構造。
【請求項１１】
前記第２の取付部を前記ファン装置に螺子止めするための螺子穴を当該第２の取付部に形成し、当該第２の取付部の螺子挿入方向両面に、前記螺子穴に挿入された螺子が貫通すると共に、前記板バネとは異なる材質の弾性部材を配設した請求項３記載のファン装置の取付構造。
【請求項１２】
前記第１の取付部及び前記第２の取付部の少なくとも一方が、前記筐体に中継部品を介して取付けられる請求項３記載のファン装置の取付構造。
【発明の詳細な説明】
【技術分野】
【０００１】
本発明は、ファン装置の取付構造に関する。
【背景技術】
【０００２】
従来、各種機器の内部に配置されるファン装置は、例えば、ファン装置の外面を機器の筐体の内面にゴムや樹脂等の弾性材料を介して当接させることで、ファン装置から発生する振動を当該弾性材料に吸収させ、当該振動が前記機器の筐体に伝達されることを防止している。（例えば、特許文献1及び２参照）。【０００３】
また、プリント基板に実装される第１の電子部品と、当該プリント基板に実装され且つ前記第１の電子部品の振動しやすい方向と略直交する方向に振動しやすい第２の電子部品とを連結する電子部品支持具が紹介されている。この電子部品支持具は、前記第１の電子部品と第２の電子部品を各々弾性的に挟着する断面大略Ｃ字状の複数の部品固定部と、部品固定部を変位可能に連結する連結部とを有し、ワンタッチで前記第１の電子部品と第２の電子部品へ装着することができると共に、プリント基板に対する電子部品の振動を抑制することを目的としている。（例えば、特許文献３参照）。
【先行技術文献】
【特許文献】
【０００４】
【特許文献１】特開２００１−３１３４８３号公報
【特許文献２】特開２０１０−１２１５４０号公報
【特許文献３】特開平７−２６３８７７号公報
【発明の概要】
【発明が解決しようとする課題】
【０００５】
しかしながら、ゴムや樹脂等の弾性材料を介して筐体に配設することで、ファン装置から発生する振動を抑制するファン装置の取付構造は、振動の抑制効果が十分ではなく、例えば、ファン装置が情報機器等に搭載される場合、当該情報機器のハードディスクドライブの性能低下やハード障害を引き起こす虞がある。【０００６】
また、特許文献３に記載された電子部品支持具は、プリント基板に実装された電子部品同士を連結することで電子部品の振動を抑制するものであるが、連結される電子部品同士の振動しやすい方向が互いに略直交しなければ、振動の抑制効果が十分ではない。また、ファン装置のように、自ら振動する電子部品を当該電子部品が収納される筐体に固定することで、自ら振動する電子部品の振動を抑制するための工夫は何らなされていない。【０００７】
本発明は、このような事情に鑑みなされたものであり、ファン装置から発生するＸ、Ｙ、Ｚの全並進方向の振動及び全軸回転方向の振動が、当該ファン装置を搭載する筐体に伝達されることを十分に抑制することが可能なファン装置の取付構造を提供することを目的とする。
【課題を解決するための手段】
【０００８】
この目的を達成するため本発明は、ファン装置と、前記ファン装置が搭載される筐体と、一端が前記ファン装置に取付けられると共に、当該ファン装置の外側に延出して湾曲し、他端が前記筐体の当該ファン装置配置領域よりも外側に取付けられる一対の板バネと、を備え、前記ファン装置は、互いに対向する両面が前記各々の板バネにそれぞれ支持されると共に、前記筐体と離間して取付けられてなるファン装置の取付構造を提供するものである。
【発明の効果】
【０００９】
本発明によれば、ファン装置から発生する全並進方向の振動及び全軸回転方向の振動が、当該ファン装置を搭載する筐体に伝達されることを十分に抑制することが可能なファン装置の取付構造を提供することができる。
【図面の簡単な説明】
【００１０】
【図１】本発明の実施形態１に係るファン装置が電子機器の筐体に取付られた状態を示す斜視図である。
【図２】図１に示すファン装置と及びその取付構造を拡大して示す斜視図である。
【図３】図１に示すファン装置とその取付構造を示す正面図である。
【図４】図１に示すファン装置を筐体に取付るための板バネを示す斜視図である。
【図５】図１に示すファン装置とその取付構造の一部を拡大して示す正面図である。
【図６】図４に示す板バネの右側面図である。
【図７】本発明の実施形態２に係るファン装置とその取付構造を示す斜視図である。
【図８】本発明の実施形態３に係るファン装置とその取付構造を示す斜視図である。
【図９】本発明の実施形態４に係るファン装置とその取付構造を示す斜視図である。
【図１０】本発明の実施形態５に係るファン装置とその取付構造を示す斜視図である。
【図１１】本発明の実施形態６に係るファン装置とその取付構造を示す斜視図である。
【図１２】本発明の実施形態７に係るファン装置とその取付構造を示す斜視図である。
【図１３】本発明の実施形態８に係るファン装置とその取付構造を示す斜視図である。
【図１４】本発明の実施形態９に係るファン装置とその取付構造を示す斜視図である。
【図１５】図１４に示す取付構造の一部を拡大して示す断面図である。
【図１６】図１４に示すファン装置とその取付構造の一部を示す平面図である。
【図１７】図１６に示すＡ−Ａ線に沿った断面図である。
【図１８】図１４に示すファン装置とその取付構造の右側面図である。
【図１９】図１８に示すＢ−Ｂ線に沿った断面図である。
【図２０】本発明の実施形態１０に係るファン装置が電子機器の筐体に取付られた状態を示す斜視図である。
【図２１】図２０に示すファン装置とその取付構造の右側を拡大して示す斜視図である。
【図２２】図２０に示すファン装置とその取付構造の左側を拡大して示す斜視図である。
【図２３】本発明の実施形態１１に係るファン装置とその取付構造の右側を拡大して示す斜視図である。
【発明を実施するための形態】
【００１１】
次に、本発明の実施形態に係るファン装置及びその取付構造について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１２】
（実施形態１）
図１は、本発明の実施形態１に係るファン装置が電子機器の筐体に取付された状態を示す斜視図、図２は、図１に示すファン装置と及びその取付構造を拡大して示す斜視図、図３は、図１に示すファン装置とその取付構造を示す正面図、図４は、図１に示すファン装置を筐体に取付けるための板バネを示す斜視図、図５は、図１に示すファン装置とその取付構造の一部を拡大して示す正面図、図６は、図４に示す板バネの右側面図である。なお、前記各図では、説明を判り易くするため、各部材の厚さやサイズ、拡大・縮小率等は、実際のものとは一致させずに記載した。また、
【００１３】
図１〜図３に示すように、実施形態１に係るファン装置１は、例えば、電子機器の筐体４内に配設されるものであり、流路方向（ファン装置１によって吹き出される気流の方向：実施形態１では、Ｚ方向の反対方向）に対して直列方向に２台搭載され且つ流路方向に対して並列方向に２台搭載された合計４台のファン２２と、これら４台のファン２２を内蔵するファンケース２１とを有している。なお、実施形態１では、ファンケース２１内に４台のファン２２を搭載する場合について説明するが、これに限らず、ファンケース２１はファン２２を１個以上搭載可能なケースであればよく、ファン２２は、流路方向に対して並列方向及び／または直列方向に複数搭載してもよく、単体であってもよい。
【００１４】
筐体４の流路方向の上流側または下流側には、ハードディスクドライブ６が配設されており、ファン装置１に吸い込まれた気流またはファン装置１から吹き出された気流がハードディスクドライブ６を通過することまたはハードディスクドライブ６に当たることで、ハードディスクドライブ６が冷却されるようになっている。
【００１５】
ファンケース２１の流路と略平行な側壁２１Ｒ及び２１Ｌには、板バネ２の一端が各々取付けられており、筐体４の底面４Ｆには、板バネ２の他端が取付けられている。なお、側壁２１Ｒ及び２１Ｌに取付けられる一対の板バネ２は、同一の板バネ２であるため、ここでは、側壁２１Ｒに取付けられる板バネ２について説明する。
【００１６】
板バネ２は、図２〜図６に詳細に示すように、ファンケース２１の側壁２１Ｒに取付けられる板状のファン装置側取付部２３（本発明の第１の取付部に相当する）と、ファン装置側取付部２３のＺ方向両端から連続的に各々延出し、曲げ半径ｃ（変曲点ｃ：図５参照）で湾曲し、さらに曲げ半径ｆ（変曲点ｆ：図５参照）で湾曲する帯状湾曲部２４Ａ及び２４Ｂ（本発明の第１の湾曲部に相当する）と、帯状湾曲部２４Ａ及び２４Ｂの一端がＺ方向両端に連続的に設けられると共に、曲げ半径ｅ（変曲点ｅ：図５参照）で湾曲する筐体側湾曲部２５（本発明の第２の湾曲部に相当する）と、筐体側湾曲部２５の一端から連続的に延出し、筐体４の底面４Ｆに取付けられる板状の筐体側取付部２６（本発明の第２の取付部に相当する）と、を備えている。この板バネ２は、例えば、ステンレス等、バネ材として最適な硬さの弾性を有する金属材料から構成されている。なお、図６では、板バネ２の板厚をｔで示している。また、実施形態１では、帯状湾曲部２４Ａ及び２４Ｂと、筐体側湾曲部２５によって本発明の湾曲部を構成している。
【００１７】
ファン装置側取付部２３のＺ方向端部近傍には、ファンケース２１の側壁２１Ｒに板バネ２を固定するためのファンケース連結用穴７が各々形成されている。このファンケース連結用穴７には螺子３が挿入され、この螺子３がファンケース２１の側壁２１Ｒに形成されている板バネ連結用穴（図示せず）に螺合することで、ファン装置側取付部２３が側壁２１Ｒに固定される。なお、図６では、ファン装置側取付部２３のＺ方向の長さ（幅）をｗで示している。
【００１８】
帯状湾曲部２４Ａ及び２４Ｂは同一の形状を有しており、図５に示すように、ファンケース連結用穴７の中心からＹ方向に距離ｇの位置が頂点となるように、曲げ半径ｃで湾曲され、さらに側壁２１ＲからＸ方向に距離ｈの位置が頂点となるように、曲げ半径ｆで湾曲されている。即ち、帯状湾曲部２４Ａ及び２４Ｂは、板バネ２が側壁２１Ｒに取付けられた際に、側壁２１ＲよりもＸ方向に延出するが、ファンケース２１のＹ方向端部からは突出しないように形成されている。なお、図６では、帯状湾曲部２４Ａ及び２４ＢのＺ方向の長さ（幅）をｍで示し、帯状湾曲部２４Ａと帯状湾曲部２４Ｂとの間隔をｋで示し、帯状湾曲部２４Ａ及び２４Ｂの頂点から筐体側湾曲部２５までの距離をｊで示し、帯状湾曲部２４Ａ及び２４Ｂの頂点からファン装置側取付部２３までの距離をｉで示している。
【００１９】
筐体側湾曲部２５は、帯状湾曲部２４Ａ及び２４Ｂと筐体側取付部２６とがなす角度がｄとなるように曲げ半径ｅで湾曲されている。この筐体側湾曲部２５は、板バネ２が側壁２１Ｒに取付けられた際に、側壁２１Ｒと接触しないように形成されている。
【００２０】
筐体側取付部２６のＺ方向端部近傍には、筐体４の底面４Ｆに板バネ２を固定するための筐体連結用穴８が各々形成されている。この筐体連結用穴８は、筐体側取付部２６が底面４Ｆに取付けられた際に、その中心から側壁２１Ｒまでの距離がａとなる位置に形成されている。この筐体連結用穴８には螺子５が挿入され、筐体４の底面４Ｆにプレスフィットされたファスナ１７に螺子５が螺合することで、筐体４の底面４Ｆに固定されるようになっている。なお、筐体側取付部２６が底面４Ｆに取付けられた際には、ファンケース２１の底面２１Ｆが筐体４の底面４Ｆから距離ｐで離間されるようになっている。また、図６では、筐体側取付部２６のＺ方向の長さ（幅）をｗで示しており、この幅は、実施形態１では、筐体側湾曲部２５の幅と同一である。
【００２１】
このように、ファン装置１は、側壁２１Ｒ及び２１Ｌにファン装置側取付部２３が各々固定され、ファン装置１の外側に延出して湾曲し、筐体側取付部２６が筐体４の底面４Ｆのファン装置配置領域よりも外側に取付けられる板バネ２を介して筐体４に取付けられるため、駆動時にファン装置１から発生する振動を板バネ２によって吸収することができる。この時、板バネ２は、変曲点ｃ、変曲点ｆ及び変曲点ｅで湾曲（正面視で略Ｓ字状に湾曲）することで、振動伝達元であるファンケース２１と、振動伝達先である筐体４を結ぶ振動伝達経路を長くとることができると共に、ファンケース２１と筐体４とが直接接触しない（非接触である）ため、ファン装置１から発生する全並進方向の振動及び全軸回転方向の振動が筐体４に伝達されることを十分に抑制することができる。
【００２２】
ここで、一例として、板バネ２のパラメータは、板バネ２を使用しない場合の伝達経路長ｘを、図５に示すａとｂの和とし、ａ＝０．４６ｘ、ｂ＝０．５４ｘ、ｃ＝０．２８ｘ、ｄ＝５０°、ｅ＝０．１５ｘ、ｆ＝０．１５ｘ、ｇ＝０．４２ｘ、ｗ＝０．９５ｘ、ｉ＝０．２８ｘ、ｊ＝０．７６ｘ、ｋ＝０．６８ｘ、ｍ＝０．１４ｘ、ｔ＝０．０１ｘである。前述のパラメータの場合、板バネ２を使用した際の振動伝達経路長は２．０４ｘとなる。
【００２３】
なお、これらのパラメータは、ファン装置１の質量と固有振動数、筐体４の固有振動数、ハードディスクドライブ６の固有振動数、板バネ２の取り付けスペース、製造コスト等を考慮し、使用するファン２２の回転数で共振現象が極力発生しないように決定する。
【００２４】
また、実施形態１では、筐体連結用穴８に挿入された螺子５を筐体４の底面４Ｆにプレスフィットされたファスナ１７に螺合することで、筐体４の底面４Ｆに板バネ２の筐体側取付部２６を固定した場合について説明したが、これに限らず、筐体側取付部２６は、筐体連結用穴８に挿入された螺子５を筐体４の底面４Ｆに形成された螺子穴等に直接螺合させて固定してもよい。
【００２５】
さらにまた、板バネ２の配設数は、二対以上等、ファン装置１のＺ方向の長さ等に応じて、任意に決定することができる。
【００２６】
（実施形態２）
次に、本発明の実施形態２に係るファン装置及びその取付構造について図面を参照して説明する。図７は、本発明の実施形態２に係るファン装置とその取付構造を示す斜視図である。なお、実施形態２では、実施形態１で説明した部材と同一の部材には、同一の符号を付し、その詳細な説明は省略する。
【００２７】
実施形態２に係るファン装置の取付構造の、実施形態１に係るファン装置の取付構造と異なる点は、板バネ２の形状である。即ち、実施形態２に係る板バネ２は、帯状湾曲部２４Ａ及び２４ＢのＺ方向の長さ（幅）ｍが、実施形態１に係る板バネ２の帯状湾曲部２４Ａ及び２４ＢのＺ方向の長さ（幅）ｍよりも短く（狭く）形成されている。なお、実施形態２では、ｍ＝０．０４ｘとした。
【００２８】
このように帯状湾曲部２４Ａ及び２４ＢのＺ方向の長さ（幅）を狭くすることにより、この部分が捩れ易くなるため、Ｚ方向に対するバネ効果を向上させることができる。これにより、Ｘ、Ｙ、Ｚの全並進方向及び全軸回転方向の振動をさらに効率よく抑制することができる。
【００２９】
（実施形態３）
次に、本発明の実施形態３に係るファン装置及びその取付構造について図面を参照して説明する。図８は、本発明の実施形態３に係るファン装置とその取付構造を示す斜視図である。なお、実施形態３では、実施形態１で説明した部材と同一の部材には、同一の符号を付し、その詳細な説明は省略する。
【００３０】
実施形態３に係るファン装置の取付構造の、実施形態１に係るファン装置の取付構造と異なる点は、板バネ２の形状と配設数である。即ち、実施形態３に係る板バネ２は、図８に示すように、ファンケース２１の側壁２１Ｒに取付けられる板状のファン装置側取付部３３と、ファン装置側取付部３３のＺ方向中央部から連続的に延出し、曲げ半径ｃ（変曲点ｃ：図５参照）で湾曲し、さらに曲げ半径ｆ（変曲点ｆ：図５参照）で湾曲する帯状湾曲部３４と、帯状湾曲部３４に連続的に形成されると共に、曲げ半径ｅ（変曲点ｅ：図５参照）で湾曲する筐体側湾曲部３５と、筐体側湾曲部３５の一端がＺ方向中央部に連続的に設けられると共に、筐体４の底面４Ｆに取付けられる板状の筐体側取付部３６と、を備えている。
【００３１】
ファン装置側取付部３３のＺ方向端部近傍には、ファンケース連結用穴７と同様の穴（図示せず）が各々形成されており、このファン装置側取付部３３は、実施形態１と同様に螺子３によって側壁２１Ｒに固定されている。
【００３２】
帯状湾曲部３４はＺ方向の長さ（幅）ｍが、ファン装置側取付部３３の同方向の長さ（幅）よりも短く（狭く）形成されており、筐体側湾曲部３５の同方向の長さ（幅）は、帯状湾曲部３４の長さ（幅）ｍと同一に形成されている。なお、実施形態３では、帯状湾曲部３４の長さ（幅）ｍは、実施形態１で説明した帯状湾曲部２４Ａ及び２４Ｂと同じであるが、この長さ（幅）ｍは、ファン装置１の質量と固有振動数、筐体４の固有振動数、ハードディスクドライブ６の固有振動数、板バネ２の取り付けスペース、製造コスト等を考慮し、使用するファン２２の回転数で共振現象が極力発生しないように決定することができる。
【００３３】
筐体側取付部３６のＺ方向端部近傍には、筐体連結用穴８と同様の穴（図示せず）が各々形成されており、この筐体側取付部３６は、実施形態１と同様に螺子５によって筐体４の底面４Ｆに固定されている。
【００３４】
実施形態３に係るファン装置の取付構造では、板バネ２がＺ方向に所定の間隔をおいて２つずつ、側壁２１Ｒ及び２１Ｌで合計４つ（二対）取付けられており、これら各々の板バネ２は、実施形態１と同様に、ファン装置１の外側に延出して湾曲し、筐体側取付部２６が筐体４の底面４Ｆのファン装置配置領域よりも外側に取付けられるため、駆動時にファン装置１から発生する振動を板バネ２によって吸収することができる。この時、板バネ２は、変曲点ｃ、変曲点ｆ及び変曲点ｅで湾曲（正面視で略Ｓ字状に湾曲）することで、振動伝達元であるファンケース２１と、振動伝達先である筐体４を結ぶ振動伝達経路を長くとることができると共に、ファンケース２１と筐体４とが直接接触しない（非接触である）ため、ファン装置１から発生する全並進方向の振動及び全軸回転方向の振動が筐体４に伝達されることを十分に抑制することができる。
【００３５】
また、実施形態３に係る板バネ２は、実施形態１で説明した板バネ２に比べ、ファン装置側取付部３３、筐体側湾曲部３５、筐体側取付部３６の幅が狭く形成されているため、材料費を削減することもできると共に、省スペース化を向上することができる。そしてまた、並設した板バネ２同士の間に、所望の素子を配置するスペースを確保することもできる。
【００３６】
さらにまた、板バネ２の配設数は、一対、あるいは、三対以上等、ファン装置１のＺ方向の長さ等に応じて、任意に決定することができる。
【００３７】
（実施形態４）
次に、本発明の実施形態４に係るファン装置及びその取付構造について図面を参照して説明する。図９は、本発明の実施形態４に係るファン装置とその取付構造を示す斜視図である。なお、実施形態４では、実施形態３で説明した部材と同一の部材には、同一の符号を付し、その詳細な説明は省略する。
【００３８】
実施形態４に係るファン装置の取付構造の、実施形態３に係るファン装置の取付構造と異なる点は、板バネ２の形状である。即ち、実施形態４に係る板バネ２は、帯状湾曲部３４のＺ方向の長さ（幅）が、実施形態３に係る板バネ２の帯状湾曲部３４のＺ方向の長さ（幅）よりも短く（狭く）形成されている。言い換えれば、実施形態４に係る板バネ２は、帯状湾曲部３４のＺ方向の長さ（幅）が、筐体側湾曲部３５の同方向の長さ（幅）よりも短く（狭く）形成されている。
【００３９】
このように帯状湾曲部３４のＺ方向の長さ（幅）を狭くすることにより、この部分が捩れ易くなるため、Ｚ方向に対するバネ効果を向上させることができる。これにより、Ｘ、Ｙ、Ｚの全並進方向及び全軸回転方向の振動をさらに効率よく抑制することができる。
【００４０】
（実施形態５）
次に、本発明の実施形態５に係るファン装置及びその取付構造について図面を参照して説明する。図１０は、本発明の実施形態５に係るファン装置とその取付構造を示す斜視図である。なお、実施形態５では、実施形態３で説明した部材と同一の部材には、同一の符号を付し、その詳細な説明は省略する。
【００４１】
実施形態５に係るファン装置の取付構造の、実施形態３に係るファン装置の取付構造と異なる点は、板バネ２の形状である。即ち、実施形態５に係る板バネ２は、帯状湾曲部４４に蛇腹形状が形成されている。この蛇腹形状により、帯状湾曲部４４の変曲点を効率よく増加することができ、振動伝達元であるファンケース２１と、振動伝達先である筐体４を結ぶ振動伝達経路をより一層長くとることができるため、ファン装置１から発生する全並進方向の振動及び全軸回転方向の振動が筐体４に伝達されることを、さらに十分に抑制することができる。
【００４２】
なお、この蛇腹形状は、実施形態１及び２に記載した構成の板バネ２の帯状湾曲部２４Ａ及び２４Ｂにも応用可能であることは勿論である。
【００４３】
（実施形態６）
次に、本発明の実施形態６に係るファン装置及びその取付構造について図面を参照して説明する。図１１は、本発明の実施形態６に係るファン装置とその取付構造を示す斜視図である。なお、実施形態６では、実施形態５で説明した部材と同一の部材には、同一の符号を付し、その詳細な説明は省略する。
【００４４】
実施形態６に係るファン装置の取付構造の、実施形態５に係るファン装置の取付構造と異なる点は、板バネ２の形状である。即ち、実施形態６に係る板バネ２は、帯状湾曲部４４に形成されている蛇腹形状を湾曲により形成する代わりに、折り曲げて形成している。この蛇腹形状も、実施形態５と同様に、振動伝達元であるファンケース２１と、振動伝達先である筐体４を結ぶ振動伝達経路をより一層長くとることができるため、ファン装置１から発生する全並進方向の振動及び全軸回転方向の振動が筐体４に伝達されることを、さらに十分に抑制することができる。
【００４５】
なお、この蛇腹形状は、実施形態１及び２に記載した構成の板バネ２の帯状湾曲部２４Ａ及び２４Ｂにも応用可能であることは勿論である。
【００４６】
（実施形態７）
次に、本発明の実施形態７に係るファン装置及びその取付構造について図面を参照して説明する。図１２は、本発明の実施形態７に係るファン装置とその取付構造を示す斜視図である。なお、実施形態７では、実施形態３で説明した部材と同一の部材には、同一の符号を付し、その詳細な説明は省略する。
【００４７】
実施形態７に係るファン装置の取付構造の、実施形態３に係るファン装置の取付構造と異なる点は、板バネ２の形状である。即ち、実施形態７に係る板バネ２は、ファン装置側取付部４３及び筐体側取付部４６のＺ方向の長さ（幅）が、実施形態３に係るファン装置側取付部３３及び筐体側取付部３６のＺ方向の長さ（幅）よりも短く（狭く）形成されている。
【００４８】
このように、ファン装置側取付部３３及び筐体側取付部３６のＺ方向の長さ（幅）よりも短く（狭く）することで、材料費を削減することができると共に、省スペース化を向上することができる。また、並設した板バネ２同士の間に、所望の素子を配置するスペースを確保することもできる。
【００４９】
なお、このファン装置側取付部３３及び筐体側取付部３６の形状は、実施形態５及び６に記載した構成の板バネ２にも応用可能であることは勿論である。
【００５０】
（実施形態８）
次に、本発明の実施形態８に係るファン装置及びその取付構造について図面を参照して説明する。図１３は、本発明の実施形態８に係るファン装置とその取付構造を示す斜視図である。なお、実施形態８では、実施形態３で説明した部材と同一の部材には、同一の符号を付し、その詳細な説明は省略する。
【００５１】
実施形態８に係るファン装置の取付構造の、実施形態３に係るファン装置の取付構造と異なる点は、板バネ２の形状である。即ち、実施形態８に係る板バネ２は、ファン装置側取付部５３、帯状湾曲部３４、筐体側湾曲部３５、筐体側取付部５６の全てにおいて、Ｚ方向の長さ（幅）が同じとなるように形成されている。
【００５２】
このように、板バネ２のＺ方向の長さ（幅）を全長にわたって同じにすることで、材料費をより削減することができると共に、省スペース化を一層向上することができる。また、並設した板バネ２同士の間に、所望の素子を配置するスペースを確保することもできる。
【００５３】
（実施形態９）
次に、本発明の実施形態９に係るファン装置及びその取付構造について図面を参照して説明する。図１４は、本発明の実施形態９に係るファン装置とその取付構造を示す斜視図、図１５は、図１４に示す取付構造の一部を拡大して示す断面図、図１６は、図１４に示すファン装置とその取付構造の一部を示す平面図、図１７は、図１６に示すＡ−Ａ線に沿った断面図、図１８は、図１４に示すファン装置とその取付構造の右側面図、図１９は、図１８に示すＢ−Ｂ線に沿った断面図である。なお、実施形態９では、実施形態１で説明した部材と同一の部材には、同一の符号を付し、その詳細な説明は省略する。
【００５４】
実施形態９に係るファン装置の取付構造の、実施形態１に係るファン装置の取付構造と異なる点は、板バネ２の形状である。即ち、図１４〜図１９に示すように、実施形態９に係る板バネ２のファン装置側取付部２３には、ファンケース連結用穴７が螺子挿入方向に対し垂直な方向において外部と連通するための切り欠き２７が形成されており、筐体側取付部２６には、筐体連結用穴８が螺子挿入方向に対し垂直な方向において外部と連通するための切り欠き２８が形成されている。
【００５５】
また、ファン装置側取付部２３のファンケース連結用穴７が形成されている位置には、その両面を挟むように円筒形状のブッシュ９（本発明の弾性部材に相当する）が配置されている。そしてまた、筐体側取付部２６の筐体連結用穴８が形成されている位置には、その両面を挟むように円筒形状のブッシュ１０が配置されている。このブッシュ９及び１０は、板バネ２とは異なる材料、例えば、ゴムや樹脂等の弾性材料から形成することができる。
【００５６】
なお、ブッシュ９及び１０は同一形状を有しているため、ここではブッシュ１０について説明する。ブッシュ１０は、図１５に示すように、軸心方向の中央部に、筐体側取付部２６の板厚ｔとほぼ同一の幅を有する溝１０１が、その外周に沿って形成されている。また、ブッシュ１０の内側には、螺子５（ブッシュ９の場合は螺子３）を挿入可能な穴１０２が貫通形成されている。このブッシュ１０は、切り欠き２８から筐体連結用穴８と穴１０２とが一致する位置に挿入されている。そして、穴１０２及び筐体連結用穴８に挿入された螺子５がファスナ１７に螺合することで、筐体側取付部２６が筐体４の底面４Ｆに固定されるようになっている。なお、ブッシュ９も切り欠き２７から挿入されてファン装置側取付部２３に同様に取付けられる。
【００５７】
実施形態９に係るファン装置の取付構造では、板バネ２の振動抑制効果に加え、ブッシュ９及び１０の弾性力による振動抑制効果を得ることができるため、ファン装置１から発生する振動が筐体４に伝達されることをより一層確実に抑制することができる。
【００５８】
なお、ブッシュ９及び１０は、板バネ２とは別材料の弾性材から形成されていればよく、その硬さや厚さ、サイズ等は、ファン装置１の質量と固有振動数、筐体４の固有振動数、ハードディスクドライブ６の固有振動数、板バネ２の取り付けスペース、製造コスト等を考慮し、使用するファン２２の回転数で共振現象が極力発生しないように決定する。
【００５９】
また、ブッシュ９及び１０は、他の実施形態で説明した板バネ２に適用することもできることは勿論である。
【００６０】
（実施形態１０）
次に、本発明の実施形態１０に係るファン装置及びその取付構造について図面を参照して説明する。図２０は、本発明の実施形態１０に係るファン装置が電子機器の筐体に取付られた状態を示す斜視図、図２１は、図２０に示すファン装置とその取付構造の右側を拡大して示す斜視図、図２２は、図２０に示すファン装置とその取付構造の左側を拡大して示す斜視図である。なお、実施形態１０では、実施形態１で説明した部材と同一の部材には、同一の符号を付し、その詳細な説明は省略する。
【００６１】
実施形態１０に係るファン装置の取付構造の、実施形態１に係るファン装置の取付構造と異なる点は、ファン装置１がＸ方向に５台、Ｚ方向に２台配設されている点と、板バネ２の形状と、板バネ２の他端が中継部材１１及び１２を各々介して筐体４の側壁４Ｒ及び４Ｌに各々固定されている点である。
【００６２】
実施形態１０に係る筐体４は、Ｘ方向の一方の側壁４Ｒの内側に中継部材１１が螺子１４によって固定され、他方の側壁４Ｌの内側に中継部材１２が螺子１６によって固定されている。この中継部材１１及び１２は、筐体４の内側に延出しており、板バネ２の筐体用取付部６６が螺子１３によって固定される。即ち、この中継部材１１及び１２は、板バネ２の筐体側取付部６６と、筐体４の側壁４Ｒ及び４Ｌとの間に介在し、両者間の間を埋める（中継する）役割を果たしているため、両者間の距離によって、筐体４の内側に延出する部分の長さが異なるが、基本的な構成は同様である。
【００６３】
なお、側壁２１Ｒ及び２１Ｌに取付けられる一対の板バネ２は、実施形態１と同様に同一の板バネ２であるため、ここでは、側壁２１Ｒに取付けられる板バネ２について説明する。
【００６４】
板バネ２は、図２０〜図２２に示すように、ファンケース２１の側壁２１Ｒに取付けられる板状のファン装置側取付部６３と、ファン装置側取付部６３のＺ方向両端から連続的に筐体４の底面４Ｆ側に向けて各々延出し、略Ｕ字状に湾曲する帯状湾曲部６４Ａ及び６４Ｂと、帯状湾曲部６４Ａ及び６４Ｂの一端がＺ方向両端に連続的に設けられると共に、略Ｌ字状に湾曲する筐体側湾曲部６５と、筐体側湾曲部６５の一端から連続的に延出し、中継部材１１に取付けられる板状の筐体側取付部６６と、を備えている。
【００６５】
ファン装置側取付部６３は、実施形態１に係るファン装置側取付部２３と同様に、螺子によって側壁２１Ｒに固定される。
【００６６】
帯状湾曲部６４Ａ及び６４Ｂは同一の形状を有しており、板バネ２がファン装置１を支持した際に、筐体４に接触しないように形成されている。なお、実施形態１０では、帯状湾曲部６４Ａ及び６４ＢのＺ方向の長さ（幅）は、実施形態１で説明した帯状湾曲部２４Ａ及び２４Ｂと同じであるが、この長さ（幅）ｍは、ファン装置１の質量と固有振動数、筐体４の固有振動数、ハードディスクドライブ６の固有振動数、板バネ２の取り付けスペース、製造コスト等を考慮し、使用するファン２２の回転数で共振現象が極力発生しないように決定することができる。
【００６７】
筐体側湾曲部６５は、帯状湾曲部６４Ａ及び６４Ｂの先端に各々連続的に形成されており、帯状湾曲部６４Ａ及び６４Ｂとそれぞれ同一のＺ方向の長さ（幅）を有している。
【００６８】
筐体側取付部６６は、各々の筐体側湾曲部６５の先端に連続的に形成されており、筐体側湾曲部６５よりもＺ方向の長さ（幅）が長く形成されている。この筐体側取付部６６には、中継部材１１に板バネ２を固定するための筐体連結用穴（図示せず）が形成されており、挿入された螺子１３が中継部材１１に形成されている螺子穴（図示せず）に螺合することで、中継部材１１を介して筐体４の側壁４Ｒに固定されるようになっている。
【００６９】
このように、ファン装置１は、側壁２１Ｒ及び２１Ｌにファン装置側取付部６３が各々固定され、ファン装置１の外側に延出して湾曲し、筐体側取付部６６が筐体４のファン装置配置領域よりも外側に取付けられる板バネ２を介して筐体４の側壁４Ｒ及び４Ｌに取付けられるため、駆動時にファン装置１から発生する振動を板バネ２によって吸収することができる。この時、板バネ２は、複数の変曲点を有しているため、振動伝達元であるファンケース２１と、振動伝達先である筐体４を結ぶ振動伝達経路を長くとることができると共に、ファンケース２１と筐体４とが直接接触しない（非接触である）ため、ファン装置１から発生する全並進方向の振動及び全軸回転方向の振動が筐体４に伝達されることを十分に抑制することができる。
【００７０】
なお、中継部材１１及び１２は、筐体側取付部６６と、筐体４の側壁４Ｒ及び４Ｌとの距離によっては、必ずしも設けなくてもよく、あるいは、いずれか一方のみ設けるようにしてもよい。
【００７１】
（実施形態１１）
次に、本発明の実施形態１１に係るファン装置及びその取付構造について図面を参照して説明する。図２３は、本発明の実施形態１１に係るファン装置とその取付構造の右側を拡大して示す斜視図である。なお、実施形態１０では、実施形態１で説明した部材と同一の部材には、同一の符号を付し、その詳細な説明は省略する。
【００７２】
実施形態１１に係るファン装置の取付構造の、実施形態１０に係るファン装置の取付構造と異なる点は、板バネ２の形状である。即ち、実施形態１１に係る板バネ２は、図２３に示すように、中継部材１１を配設する代わりに、筐体側取付部７６の形状を中継部材１１と実施形態１０に係る筐体側取付部６６とが一体的となった形状となるように形成されている。
【００７３】
なお、板バネ２は、中継部材１２を配設する代わりに、筐体側取付部７６の形状を中継部材１２と実施形態１０に係る筐体側取付部６６とが一体的となった形状となるように形成してもよい。
【００７４】
また、前述した実施形態１〜１１では、ファンケース２１内にファン２２を搭載したファン装置１を筐体４に取付ける場合について説明したが、これに限らず、ファン２２の形状や種類等によっては、ファン２２をファンケース２１に搭載せず、板バネ２によってファン２２自身を筐体４に取付けてもよい。
【００７５】
そしてまた、ファン装置１は、筐体４の底面４Ｆや側壁４Ｒ及び４Ｌの他、筐体４の天井面等、所望の位置に取付けることができる。
【符号の説明】
【００７６】
１…ファン装置、２…板バネ、４…筐体、４Ｆ…底面、４Ｌ、４Ｒ…側壁、９…ブッシュ
２１…ファンケース、２１Ｌ、２１Ｒ…側壁、２２…ファン、２３、３３、４３、５３、６３…ファン装置側取付部、２４Ａ、２４Ｂ、３４、４４、６４Ａ、６４Ｂ…帯状湾曲部、２５、３５、６５…筐体側湾曲部、２６、３６、４６、５６、６６…筐体側取付部
【図１】
2012172614.tif 000003
【図２】
2012172614.tif 000004
【図３】
2012172614.tif 000005
【図４】
2012172614.tif 000006
【図５】
2012172614.tif 000007
【図６】
2012172614.tif 000008
【図７】
2012172614.tif 000009
【図８】
2012172614.tif 000010
【図９】
2012172614.tif 000011
【図１０】
2012172614.tif 000012
【図１１】
2012172614.tif 000013
【図１２】
2012172614.tif 000014
【図１３】
2012172614.tif 000015
【図１４】
2012172614.tif 000016
【図１５】
2012172614.tif 000017
【図１６】
2012172614.tif 000018
【図１７】
2012172614.tif 000019
【図１８】
2012172614.tif 000020
【図１９】
2012172614.tif 000021
【図２０】
2012172614.tif 000022
【図２１】
2012172614.tif 000023
【図２２】
2012172614.tif 000024
【図２３】
2012172614.tif 000025
【国際調査報告】
2012172614.tif 000026
2012172614.tif 000027
2012172614.tif 000028
2012172614.tif 000029